(57)【要約】      （修正有）【課題】従来のゴルフクラブヘッドは打球の瞬間に澄んだ打撃音を発することができないという問題を解決するための不等厚プレートを有するゴルフクラブヘッドを提供する。【解決手段】ゴルフクラブヘッドは、ヘッド本体１とプレート２とを含み、ヘッド本体は、収容室１１とこの収容室に連通する頂部開口１２とを有し、プレートは、互いに結合される第一ファイバー層２１及び第二ファイバー層からなり、第一ファイバー層は、第一表面２１１を有し、第一表面に複数のリブ２３を有し、プレートが第一表面でヘッド本体の頂部開口を閉じることで、複数のリブがヘッド本体の収容室内に位置し、各リブの幅は、１〜１０ｍｍであり、かつ、高さは、１〜１０ｍｍであることを特徴とする。【選択図】図１
0003224026.tif 000002
【実用新案登録請求の範囲】
【請求項１】
ヘッド本体とプレートとを含む、不等厚プレートを有するゴルフクラブヘッドであって、
前記ヘッド本体は、収容室と該収容室に連通する頂部開口とを有し、
前記プレートは、互いに結合される第一ファイバー層及び第二ファイバー層からなり、
前記第一ファイバー層は、第一表面を有し、前記第一表面に複数のリブを有し、前記プレートが前記第一表面で前記ヘッド本体の頂部開口を閉じることで、前記複数のリブが前記ヘッド本体の収容室内に位置し、
各リブの幅は、１〜１０ｍｍであり、かつ、高さは、１〜１０ｍｍであることを特徴とする不等厚プレートを有するゴルフクラブヘッド。
【請求項２】
前記第一ファイバー層は、複数の第一ファイバーからなり、前記第二ファイバー層は、複数の第二ファイバーからなり、
前記第一ファイバーの長さは、６．３５〜１０１．６０ｍｍであり、前記第二ファイバーの長さは、前記第一ファイバーの長さより長いことを特徴とする請求項１に記載の不等厚プレートを有するゴルフクラブヘッド。
【請求項３】
前記第一ファイバー層の厚さは、０．１〜０．５ｍｍであり、前記第二ファイバーの厚さは、０．２〜０．６ｍｍであることを特徴とする請求項１に記載の不等厚プレートを有するゴルフクラブヘッド。
【請求項４】
前記第一ファイバー層は、ＢＭＣ（bulk molding compound）或いはＳＭＣ（sheet molding compound）であり、
前記第二ファイバー層は、一方向プリプレグ或いはファブリックプリプレグであることを特徴とする請求項１に記載の不等厚プレートを有するゴルフクラブヘッド。
【請求項５】
前記第二ファイバー層のＦＡＷ（fiber areal weight）は、５０〜２００ｇ/ｍ２であることを特徴とする請求項４に記載の不等厚プレートを有するゴルフクラブヘッド。
【請求項６】
前記第一表面に位置する前記複数のリブは、八の字状、放射状、又は、クモの巣状に形成されていることを特徴とする請求項１〜請求項５のいずれかに記載の不等厚プレートを有するゴルフクラブヘッド。
【考案の詳細な説明】
【技術分野】
【０００１】
本考案は、ゴルフクラブヘッドに関し、特に、不等厚プレートを有するゴルフクラブヘッドに係るものである。
【背景技術】
【０００２】
従来のゴルフクラブヘッドは、中空であって頂部開口を有するヘッド本体と、その頂部開口を閉じるプレートとを有している。
そして、従来のゴルフクラブヘッドの重量を軽減し、かつ、重心を降下させるために、ヘッド本体が、金属材料により作製され、プレートが、カーボンファイバー或いはガラスファイバーなどの軽い材料により作製されている。
しかしながら、従来のゴルフクラブヘッドは、プレートが金属材料により作製されていないため、打球の瞬間に、金属材料のみにより作製されたゴルフクラブヘッドのように澄んだ打撃音を発することができなかった。
よって、上記従来のゴルフクラブヘッドを改善する必要があった。
【先行技術文献】
【特許文献】
【０００３】
【特許文献１】特開２００３−１１１８７４号公報
【考案の概要】
【考案が解決しようとする課題】
【０００４】
本考案の目的は、打撃の瞬間の打撃音の周波数を向上させるために、不等厚プレートを有するゴルフクラブヘッドを提供することである。
【０００５】
さらに、本考案の目的は、より優れた構造強度を有する、不等厚プレートを有するゴルフクラブヘッドを提供することである。
【課題を解決するための手段】
【０００６】
本明細書において方向を示す用語、例えば、「前」、「後」、「左」、「右」、「上（頂）」、「下（底）」、「内」、「外」、「側」などは、主に、添付図面上における方向を示すもので、本考案の各実施例に対する説明と理解を補助するためのものであり、本考案は、これらの方向に限定されるものではない。
【０００７】
本明細書において用いられる「一つ」、「一個」などの用語は、便宜上使われるものであり、且つ、本考案の範囲について通常の意味を与えるものであり、本考案では、一つ或いは少なくとも一つとして解釈すべきであり、また、別の数を指すと明言される場合を除いて、一つの概念に複数の場合を含むこともある。
【０００８】
本考案において、「結合」、「組合」或いは「組み立て」等の近似語は、主に連結した後、破壊しなくても分離することができるもの、或いは、連結した後分離することが不可能なもの等の様態を含み、当業者が連接しようとする部件の材質、または組み立ての需要によって選択できるものである。
【０００９】
本考案の不等厚プレートを有するゴルフクラブヘッドは、ヘッド本体とプレートとを含み、前記ヘッド本体は、収容室及びこの収容室に連通する頂部開口を有し、前記プレートは、互いに結合される第一ファイバー層及び第二ファイバー層からなり、前記第一ファイバー層は、第一表面を有し、前記第一表面に複数のリブを有し、前記プレートが前記第一表面で前記ヘッド本体の頂部開口を閉じることで、前記複数のリブが前記ヘッド本体の収容室内に位置し、各リブの幅は、１〜１０ｍｍであり、かつ、高さは、１〜１０ｍｍであることを特徴とする。
【００１０】
これにより、本考案に係る不等厚プレートを有するゴルフクラブヘッドは、ヘッド本体の収容室内に位置する複数のリブにより、不等厚プレートを有するゴルフクラブヘッドの外見を損なわない前提で、プレートの構造強度を向上させることができる。
ユーザーが本考案に係る不等厚プレートを有するゴルフクラブヘッドでゴルフボールを打撃する際に、打球の瞬間に発生した空気の振動は、収容室を伝わることができ、さらに、複数のリブに妨げられると反射して共鳴するので、打撃音の周波数を向上させることができる。
【００１１】
また、前記第一ファイバー層は、複数の第一ファイバーからなり、前記第二ファイバー層は、複数の第二ファイバーからなり、前記第一ファイバーの長さは、６．３５〜１０１．６０ｍｍであり、前記第二ファイバーの長さは、前記第一ファイバーの長さより長いことを特徴とする。
これにより、第一ファイバーは、複数のリブに成形され易く、かつ、第二ファイバーがより優れる機械的特性を有するので、ボールを打撃する際や衝突する際にプレートの破損が発生し難くなる。
【００１２】
また、前記第一ファイバー層の厚さは、０．１〜０．５ｍｍであり、前記第二ファイバーの厚さは、０．２〜０．６ｍｍであることを特徴とする。
これにより、プレートを軽くする前提で、良好な構造強度を有させることができる。
【００１３】
また、前記第一ファイバー層は、ＢＭＣ（bulk molding compound）或いはＳＭＣ（sheet molding compound）であり、前記第二ファイバー層は、一方向プリプレグ或いはファブリックプリプレグであることを特徴とする。
これにより、第一ファイバー層を複数のリブに成形でき、かつ、第一ファイバー層は、容易に第二ファイバー層に結合されるので、結合された第一ファイバー層及び第二ファイバー層は、プレートの強度及び打撃音の周波数を向上させることができる。
【００１４】
また、前記第二ファイバー層のＦＡＷ（fiber areal weight）は、５０〜２００ｇ/ｍ２であることを特徴とする。
これにより、プレートの重さを軽減することができる。
【００１５】
また、前記第一表面に位置する前記複数のリブは、八の字状、放射状、又は、クモの巣状に形成されていることを特徴とする。
これにより、複数のリブは、様々な態様を成すことができる。
【図面の簡単な説明】
【００１６】
【図１】本考案の実施例による不等厚プレートを有するゴルフクラブヘッドの分解斜視図。
【図２】図１におけるプレートを第一表面から見た平面図。
【図３】図２におけるＡ―Ａ線に沿ったプレートの断面図。
【図４】図３における領域Ｂの局部拡大図。
【図５】第二実施例のプレートを第一表面から見た平面図。
【図６】図５におけるＣ―Ｃ線に沿ったプレートの断面図。
【図７】第三実施例のプレートを第一表面から見た平面図。
【図８】図７におけるＤ―Ｄ線に沿ったプレートの断面図。
【考案を実施するための形態】
【００１７】
本考案の実施例について、以下、図面を参照して説明する。
【００１８】
図１〜図４に示されるように、本考案に係る不等厚プレートを有するゴルフクラブヘッドの一つの実施例は、ヘッド本体１及びプレート２を含み、プレート２がヘッド本体１に結合されている。
【００１９】
詳しく述べると、ヘッド本体１は、内部に収容室１１を有し、さらに、この収容室１１に連通する頂部開口１２を有している。
プレート２は、ヘッド本体１に結合されることで頂部開口１２を閉じることができる。
【００２０】
図４に示されるように、プレート２は、第一ファイバー層２１及び第二ファイバー層２２からなる。
第一ファイバー層２１は、ＢＭＣ（bulk molding compound）或いはＳＭＣ（sheet molding compound）であっても良く、その厚さＤ１は、０．１〜０．５ｍｍであっても良い。
第二ファイバー層２２は、一方向プリプレグ（unidirectional prepreg）或いはファブリックプリプレグ（fabric prepreg）であっても良く、その厚さＤ２は、０．２〜０．６ｍｍであっても良く、かつ、第二ファイバー層２２のＦＡＷ（fiber areal weight）は、５０〜２００ｇ/ｍ２であっても良い。
【００２１】
第一ファイバー層２１は、複数の第一ファイバーからなり、第一ファイバーの長さは、６．３５〜１０１．６０ｍｍである。
第二ファイバー層２２は、複数の第二ファイバーからなり、第二ファイバーの長さは、第一ファイバーの長さより長い。
【００２２】
注目すべきことは、図１〜図４に示されるように、第一ファイバー層２１は、第一表面２１１を有し、プレート２は、第一表面２１１に複数のリブ２３を有し、かつ、プレート２は、第一表面２１１でヘッド本体１の頂部開口１２を閉じることで、複数のリブ２３が、ヘッド本体１の収容室１１内に位置する。
各リブ２３の幅Ｗは、１〜１０ｍｍであっても良く、かつ、第一表面２１１に対する高さＨは、１〜１０ｍｍであっても良い。
【００２３】
複数のリブ２３は、第一表面２１１にて様々な幾何学模様を成すことができる。
例えば、本考案の第一実施例において、リブ２３の数が二つであり、かつ、二つのリブ２３は、第一表面２１１にて「八」の字状を成す（図１〜図４に示す）。
本考案の第二実施例において、複数のリブ２３の一端が第一表面２１１の中心部に位置し、他端が中心部から離れることで、複数のリブ２３は、第一表面２１１にて放射状を成す（図５、図６に示す）。
本考案の第三実施例において、複数のリブ２３は、複数のメインリブ２３ａ及び複数の補助リブ２３ｂを含み、複数のメインリブ２３ａが、第二実施例のように放射状を成し、複数の補助リブ２３ｂが隣接する二つのメインリブ２３ａに連結することで、複数のリブ２３は、第一表面２１１にてクモの巣状を成す（図７、図８に示す）。
【００２４】
このように、ヘッド本体１の収容室１１内に位置する複数のリブ２３により、不等厚プレートを有するゴルフクラブヘッドの外見を損なわない前提で、プレート２の構造強度を向上させることができる。
さらに、ユーザーが本考案に係る不等厚プレートを有するゴルフクラブヘッドでゴルフボールを打撃する際に、打球の瞬間に発生した空気の振動は、収容室１１を伝わることができ、さらに、複数のリブ２３に妨げられると反射して共鳴するので、打撃音の周波数が向上する。
試験により、本考案の第一実施例に係る不等厚プレートを有するゴルフクラブヘッドから発生した打撃音の周波数は、３，２３３Ｈｚであり、第二実施例では、３，８８９Ｈｚであり、第三実施例では、３，４５７Ｈｚであり、いずれも、従来のゴルフクラブヘッドから発生した打撃音（約３，０００Ｈｚ以下）より高いので、複数のリブ２３の設置が確実に有益であることがわかった。
【００２５】
以上により、本考案に係る不等厚プレートを有するゴルフクラブヘッドは、ヘッド本体の収容室内に位置する複数のリブにより、不等厚プレートを有するゴルフクラブヘッドの外見を損なわない前提で、プレートの構造強度を向上させることができる。
ユーザーが本考案に係る不等厚プレートを有するゴルフクラブヘッドでゴルフボールを打撃する際に、打球の瞬間に発生した空気の振動は、収容室を伝わることができ、さらに、複数のリブに妨げられると反射して共鳴するので、打撃音の周波数を向上させることができる。
【００２６】
本考案は、その精神と必須の特徴事項から逸脱することなく他のやり方で実施することができる。
従って、本明細書に記載した実施形態は、例示的なものであり、本考案の範囲を限定するものではない。
【符号の説明】
【００２７】
１    ・・・ヘッド本体
１１  ・・・収容室
１２  ・・・頂部開口
２    ・・・プレート
２１  ・・・第一ファイバー層
２１１・・・第一表面
２２  ・・・第二ファイバー層
２３  ・・・リブ
２３ａ・・・メインリブ
２３ｂ・・・補助リブ
Ｄ１・・・厚さ
Ｄ２・・・厚さ
Ｈ  ・・・高さ
Ｗ  ・・・幅
【図１】
0003224026.tif 000003
【図２】
0003224026.tif 000004
【図３】
0003224026.tif 000005
【図４】
0003224026.tif 000006
【図５】
0003224026.tif 000007
【図６】
0003224026.tif 000008
【図７】
0003224026.tif 000009
【図８】
0003224026.tif 000010
【手続補正書】
【提出日】令和1年9月20日(2019.9.20)
【手続補正１】
【補正対象書類名】実用新案登録請求の範囲
【補正対象項目名】全文
【補正方法】変更
【補正の内容】
【実用新案登録請求の範囲】
【請求項１】
ヘッド本体とプレートとを含む、不等厚プレートを有するゴルフクラブヘッドであって、
前記ヘッド本体は、収容室と該収容室に連通する頂部開口とを有し、
前記プレートは、互いに結合される第一ファイバー層及び第二ファイバー層からなり、
前記第一ファイバー層は、第一表面を有し、前記第一表面に複数のリブを有し、前記プレートが前記第一表面で前記ヘッド本体の頂部開口を閉じることで、前記複数のリブが前記ヘッド本体の収容室内に位置し、
各リブの幅は、１〜１０ｍｍであり、かつ、高さは、１〜１０ｍｍであることを特徴とする不等厚プレートを有するゴルフクラブヘッド。
【請求項２】
前記第一ファイバー層は、複数の第一ファイバーからなり、前記第二ファイバー層は、複数の第二ファイバーからなり、
前記第一ファイバーの長さは、６．３５〜１０１．６０ｍｍであり、前記第二ファイバーの長さは、前記第一ファイバーの長さより長いことを特徴とする請求項１に記載の不等厚プレートを有するゴルフクラブヘッド。
【請求項３】
前記第一ファイバー層の厚さは、０．１〜０．５ｍｍであり、前記第二ファイバー層の厚さは、０．２〜０．６ｍｍであることを特徴とする請求項１に記載の不等厚プレートを有するゴルフクラブヘッド。
【請求項４】
前記第一ファイバー層は、ＢＭＣ（bulk molding compound）或いはＳＭＣ（sheet molding compound）であり、
前記第二ファイバー層は、一方向プリプレグ或いはファブリックプリプレグであることを特徴とする請求項１に記載の不等厚プレートを有するゴルフクラブヘッド。
【請求項５】
前記第二ファイバー層のＦＡＷ（fiber areal weight）は、５０〜２００ｇ/ｍ２であることを特徴とする請求項４に記載の不等厚プレートを有するゴルフクラブヘッド。
【請求項６】
前記第一表面に位置する前記複数のリブは、八の字状、放射状、又は、クモの巣状に形成されていることを特徴とする請求項１〜請求項５のいずれかに記載の不等厚プレートを有するゴルフクラブヘッド。
【手続補正２】
【補正対象書類名】明細書
【補正対象項目名】全文
【補正方法】変更
【補正の内容】
【考案の詳細な説明】
【技術分野】
【０００１】
本考案は、ゴルフクラブヘッドに関し、特に、不等厚プレートを有するゴルフクラブヘッドに係るものである。
【背景技術】
【０００２】
従来のゴルフクラブヘッドは、中空であって頂部開口を有するヘッド本体と、その頂部開口を閉じるプレートとを有している。
そして、従来のゴルフクラブヘッドの重量を軽減し、かつ、重心を降下させるために、ヘッド本体が、金属材料により作製され、プレートが、カーボンファイバー或いはガラスファイバーなどの軽い材料により作製されている。
しかしながら、従来のゴルフクラブヘッドは、プレートが金属材料により作製されていないため、打球の瞬間に、金属材料のみにより作製されたゴルフクラブヘッドのように澄んだ打撃音を発することができなかった。
よって、上記従来のゴルフクラブヘッドを改善する必要があった。
【先行技術文献】
【特許文献】
【０００３】
【特許文献１】特開２００３−１１１８７４号公報
【考案の概要】
【考案が解決しようとする課題】
【０００４】
本考案の目的は、打撃の瞬間の打撃音の周波数を向上させるために、不等厚プレートを有するゴルフクラブヘッドを提供することである。
【０００５】
さらに、本考案の目的は、より優れた構造強度を有する、不等厚プレートを有するゴルフクラブヘッドを提供することである。
【課題を解決するための手段】
【０００６】
本明細書において方向を示す用語、例えば、「前」、「後」、「左」、「右」、「上（頂）」、「下（底）」、「内」、「外」、「側」などは、主に、添付図面上における方向を示すもので、本考案の各実施例に対する説明と理解を補助するためのものであり、本考案は、これらの方向に限定されるものではない。
【０００７】
本明細書において用いられる「一つ」、「一個」などの用語は、便宜上使われるものであり、且つ、本考案の範囲について通常の意味を与えるものであり、本考案では、一つ或いは少なくとも一つとして解釈すべきであり、また、別の数を指すと明言される場合を除いて、一つの概念に複数の場合を含むこともある。
【０００８】
本考案において、「結合」、「組合」或いは「組み立て」等の近似語は、主に連結した後、破壊しなくても分離することができるもの、或いは、連結した後分離することが不可能なもの等の様態を含み、当業者が連接しようとする部件の材質、または組み立ての需要によって選択できるものである。
【０００９】
本考案の不等厚プレートを有するゴルフクラブヘッドは、ヘッド本体とプレートとを含み、前記ヘッド本体は、収容室及びこの収容室に連通する頂部開口を有し、前記プレートは、互いに結合される第一ファイバー層及び第二ファイバー層からなり、前記第一ファイバー層は、第一表面を有し、前記第一表面に複数のリブを有し、前記プレートが前記第一表面で前記ヘッド本体の頂部開口を閉じることで、前記複数のリブが前記ヘッド本体の収容室内に位置し、各リブの幅は、１〜１０ｍｍであり、かつ、高さは、１〜１０ｍｍであることを特徴とする。
【００１０】
これにより、本考案に係る不等厚プレートを有するゴルフクラブヘッドは、ヘッド本体の収容室内に位置する複数のリブにより、不等厚プレートを有するゴルフクラブヘッドの外見を損なわない前提で、プレートの構造強度を向上させることができる。
ユーザーが本考案に係る不等厚プレートを有するゴルフクラブヘッドでゴルフボールを打撃する際に、打球の瞬間に発生した空気の振動は、収容室を伝わることができ、さらに、複数のリブに妨げられると反射して共鳴するので、打撃音の周波数を向上させることができる。
【００１１】
また、前記第一ファイバー層は、複数の第一ファイバーからなり、前記第二ファイバー層は、複数の第二ファイバーからなり、前記第一ファイバーの長さは、６．３５〜１０１．６０ｍｍであり、前記第二ファイバーの長さは、前記第一ファイバーの長さより長いことを特徴とする。
これにより、第一ファイバーは、複数のリブに成形され易く、かつ、第二ファイバーがより優れる機械的特性を有するので、ボールを打撃する際や衝突する際にプレートの破損が発生し難くなる。
【００１２】
また、前記第一ファイバー層の厚さは、０．１〜０．５ｍｍであり、前記第二ファイバー層の厚さは、０．２〜０．６ｍｍであることを特徴とする。
これにより、プレートを軽くする前提で、良好な構造強度を有させることができる。
【００１３】
また、前記第一ファイバー層は、ＢＭＣ（bulk molding compound）或いはＳＭＣ（sheet molding compound）であり、前記第二ファイバー層は、一方向プリプレグ或いはファブリックプリプレグであることを特徴とする。
これにより、第一ファイバー層を複数のリブに成形でき、かつ、第一ファイバー層は、容易に第二ファイバー層に結合されるので、結合された第一ファイバー層及び第二ファイバー層は、プレートの強度及び打撃音の周波数を向上させることができる。
【００１４】
また、前記第二ファイバー層のＦＡＷ（fiber areal weight）は、５０〜２００ｇ/ｍ２であることを特徴とする。
これにより、プレートの重さを軽減することができる。
【００１５】
また、前記第一表面に位置する前記複数のリブは、八の字状、放射状、又は、クモの巣状に形成されていることを特徴とする。
これにより、複数のリブは、様々な態様を成すことができる。
【図面の簡単な説明】
【００１６】
【図１】本考案の実施例による不等厚プレートを有するゴルフクラブヘッドの分解斜視図。
【図２】図１におけるプレートを第一表面から見た平面図。
【図３】図２におけるＡ―Ａ線に沿ったプレートの断面図。
【図４】図３における領域Ｂの局部拡大図。
【図５】第二実施例のプレートを第一表面から見た平面図。
【図６】図５におけるＣ―Ｃ線に沿ったプレートの断面図。
【図７】第三実施例のプレートを第一表面から見た平面図。
【図８】図７におけるＤ―Ｄ線に沿ったプレートの断面図。
【考案を実施するための形態】
【００１７】
本考案の実施例について、以下、図面を参照して説明する。
【００１８】
図１〜図４に示されるように、本考案に係る不等厚プレートを有するゴルフクラブヘッドの一つの実施例は、ヘッド本体１及びプレート２を含み、プレート２がヘッド本体１に結合されている。
【００１９】
詳しく述べると、ヘッド本体１は、内部に収容室１１を有し、さらに、この収容室１１に連通する頂部開口１２を有している。
プレート２は、ヘッド本体１に結合されることで頂部開口１２を閉じることができる。
【００２０】
図４に示されるように、プレート２は、第一ファイバー層２１及び第二ファイバー層２２からなる。
第一ファイバー層２１は、ＢＭＣ（bulk molding compound）或いはＳＭＣ（sheet molding compound）であっても良く、その厚さＤ１は、０．１〜０．５ｍｍであっても良い。
第二ファイバー層２２は、一方向プリプレグ（unidirectional prepreg）或いはファブリックプリプレグ（fabric prepreg）であっても良く、その厚さＤ２は、０．２〜０．６ｍｍであっても良く、かつ、第二ファイバー層２２のＦＡＷ（fiber areal weight）は、５０〜２００ｇ/ｍ２であっても良い。
【００２１】
第一ファイバー層２１は、複数の第一ファイバーからなり、第一ファイバーの長さは、６．３５〜１０１．６０ｍｍである。
第二ファイバー層２２は、複数の第二ファイバーからなり、第二ファイバーの長さは、第一ファイバーの長さより長い。
【００２２】
注目すべきことは、図１〜図４に示されるように、第一ファイバー層２１は、第一表面２１１を有し、プレート２は、第一表面２１１に複数のリブ２３を有し、かつ、プレート２は、第一表面２１１でヘッド本体１の頂部開口１２を閉じることで、複数のリブ２３が、ヘッド本体１の収容室１１内に位置する。
各リブ２３の幅Ｗは、１〜１０ｍｍであっても良く、かつ、第一表面２１１に対する高さＨは、１〜１０ｍｍであっても良い。
【００２３】
複数のリブ２３は、第一表面２１１にて様々な幾何学模様を成すことができる。
例えば、本考案の第一実施例において、リブ２３の数が二つであり、かつ、二つのリブ２３は、第一表面２１１にて「八」の字状を成す（図１〜図４に示す）。
本考案の第二実施例において、複数のリブ２３の一端が第一表面２１１の中心部に位置し、他端が中心部から離れることで、複数のリブ２３は、第一表面２１１にて放射状を成す（図５、図６に示す）。
本考案の第三実施例において、複数のリブ２３は、複数のメインリブ２３ａ及び複数の補助リブ２３ｂを含み、複数のメインリブ２３ａが、第二実施例のように放射状を成し、複数の補助リブ２３ｂが隣接する二つのメインリブ２３ａに連結することで、複数のリブ２３は、第一表面２１１にてクモの巣状を成す（図７、図８に示す）。
【００２４】
このように、ヘッド本体１の収容室１１内に位置する複数のリブ２３により、不等厚プレートを有するゴルフクラブヘッドの外見を損なわない前提で、プレート２の構造強度を向上させることができる。
さらに、ユーザーが本考案に係る不等厚プレートを有するゴルフクラブヘッドでゴルフボールを打撃する際に、打球の瞬間に発生した空気の振動は、収容室１１を伝わることができ、さらに、複数のリブ２３に妨げられると反射して共鳴するので、打撃音の周波数が向上する。
試験により、本考案の第一実施例に係る不等厚プレートを有するゴルフクラブヘッドから発生した打撃音の周波数は、３，２３３Ｈｚであり、第二実施例では、３，８８９Ｈｚであり、第三実施例では、３，４５７Ｈｚであり、いずれも、従来のゴルフクラブヘッドから発生した打撃音（約３，０００Ｈｚ以下）より高いので、複数のリブ２３の設置が確実に有益であることがわかった。
【００２５】
以上により、本考案に係る不等厚プレートを有するゴルフクラブヘッドは、ヘッド本体の収容室内に位置する複数のリブにより、不等厚プレートを有するゴルフクラブヘッドの外見を損なわない前提で、プレートの構造強度を向上させることができる。
ユーザーが本考案に係る不等厚プレートを有するゴルフクラブヘッドでゴルフボールを打撃する際に、打球の瞬間に発生した空気の振動は、収容室を伝わることができ、さらに、複数のリブに妨げられると反射して共鳴するので、打撃音の周波数を向上させることができる。
【００２６】
本考案は、その精神と必須の特徴事項から逸脱することなく他のやり方で実施することができる。
従って、本明細書に記載した実施形態は、例示的なものであり、本考案の範囲を限定するものではない。
【符号の説明】
【００２７】
１    ・・・ヘッド本体
１１  ・・・収容室
１２  ・・・頂部開口
２    ・・・プレート
２１  ・・・第一ファイバー層
２１１・・・第一表面
２２  ・・・第二ファイバー層
２３  ・・・リブ
２３ａ・・・メインリブ
２３ｂ・・・補助リブ
Ｄ１・・・厚さ
Ｄ２・・・厚さ
Ｈ  ・・・高さ
Ｗ  ・・・幅